(57)【要約】  M本の直径d1を有するワイヤー(１０)から構成されている直径dcの第１の層またはコア(C1)を含み、このコアの周りには、第２層(C2)として、N本の直径d2を有するワイヤー(１１)がピッチp2のらせんとして一緒に巻かれており、上記第２層の周りには、第３層(C3)として、P本の直径d3を有するワイヤー(１２)がピッチp3のらせんとして一緒に巻かれているM+N+P本構造の３つの同心層(C1、C2,、C3)を有する金属コード(C‐1)であって、一方の上記コア(C1)と上記第２層のN本のワイヤー(１１)間およびMが１本よりも多い場合のこれらコアワイヤー自体間、さらに、他方の上記第２層のN本のワイヤー(１１)と上記第３層のP本のワイヤー(１２)間に位置する上記コード内の少なくとも１部の間隙または毛管(１４)が、不飽和熱可塑性エラストマー、特に、SBS、SBBS、SISまたはSBISブロックコポリマーのような熱可塑性スチレン(TPS)エラストマーをベースとする充填ゴム(１３)を含む上記金属コード。  溶融状態で使用するそのような熱可塑性エラストマーは、充填ゴムが製造後のコードからあふれ出た場合の寄生的粘着性の問題をもたらさない；その不飽和性、従って、(共)加硫性は、タイヤの補強を意図する金属素材中のカレンダー加工用ゴムとして一般的に使用される天然ゴムマトリックスのようなジエンゴムマトリックスと極めて適合性のあるものとする。
2013530317.tif 000002
【特許請求の範囲】
【請求項１】
M本の直径d1を有するワイヤーから構成されている直径dcの第１の層またはコア(C1)を含み、このコアの周りには、第２層(C2)として、N本の直径d2を有するワイヤーがピッチp2のらせんとして一緒に巻かれており、前記第２層の周りには、第３層(C3)として、P本の直径d3を有するワイヤーがピッチp3のらせんとして一緒に巻かれているM+N+P本構造の３つの同心層(C1、C2,、C3)を有する金属コードであって、一方の前記コアと前記第２層のN本のワイヤー間およびMが１本よりも多い場合のこれらコアワイヤー自体間、さらに、他方の前記第２層のN本のワイヤーと前記第３層のP本のワイヤー間に位置する前記コード内の少なくとも１部の間隙がゴムまたはゴム組成物を含む金属コードにおいて、このゴムが不飽和熱可塑性エラストマーであることを特徴とする前記金属コード。
【請求項２】
前記不飽和熱可塑性エラストマーが、熱可塑性スチレン(TPS)エラストマーである、請求項１記載のコード。
【請求項３】
前記不飽和TPSエラストマーが、ポリスチレンブロックとポリジエンブロックを含む、請求項２記載のコード。
【請求項４】
前記ポリジエンブロックが、ポリイソプレンブロック、ポリブタジエンブロックおよびそのようなブロックの混合物からなる群から選ばれる、請求項３記載のコード。
【請求項５】
前記TPSエラストマーが、スチレン/ブタジエン/スチレン(SBS)、スチレン/ブタジエン/ブチレン/スチレン(SBBS)、スチレン/イソプレン/スチレン(SIS)およびスチレン/ブタジエン/イソプレン/スチレン(SBIS)の各ブロックコポリマー、並びにこれらのコポリマーのブレンドからなる群から選ばれる、請求項４記載のコード。
【請求項６】
任意の2cm長のコード上に、前記TPSエラストマーが、一方の前記コア(C1)と前記第２層(C2)のN本のワイヤー間およびMが１本よりも多い場合の前記コアワイヤー自体間、さらに、他方の前記第２層(C2)のN本のワイヤーと前記第３層(C3)のP本のワイヤー間に位置する各々の間隙または毛管内に存在する、請求項１〜５のいずれか１項記載のコード。
【請求項７】
前記熱可塑性エラストマーの含有量が、コードのグラム当り5mgと40mgの間の量である、請求項１〜６のいずれか１項記載のコード。
【請求項８】
空気透過性試験において、前記コードが、2cm3/分よりも低い、好ましくは0.2cm3/分よりも低いか多くとも0.2cm3/分に等しい平均空気流量を有する、請求項１〜７のいずれか１項記載のコード。
【請求項９】
Mが1〜4本の範囲からなり、Nが5〜15本の範囲からなり、Pが10〜22本の範囲からなる、請求項１〜８のいずれか１項記載のコード。
【請求項１０】
前記コアMが1に等しく、Nが5〜7本の範囲からなり、Pが10〜14本の範囲からなる、請求項９項記載のコード。
【請求項１１】
下記の特性を満たす(d1、d2、d3、p2およびp3はmmで表す)、請求項１〜１０のいずれか１項記載のコード：
・0.08 ≦ d1 ≦ 0.40；
・0.08 ≦ d2 ≦ 0.35；
・0.08 ≦ d3 ≦ 0.35；
・5 π (d1 + d2) < p2 ≦ p3 < 10 π (d1 + 2d2 + d3)。
【請求項１２】
少なくとも１本のストランドが請求項１〜１１のいずれか１項記載のコードであるマルチストランドロープ。
【請求項１３】
請求項１〜１２のいずれか１項記載のコードの、ゴム製の最終物品または半製品の補強における使用。
【請求項１４】
ゴム製の最終物品が、タイヤである、請求項１３記載の使用。
【請求項１５】
請求項１〜１２のいずれか１項記載のコードを含むタイヤ。
【請求項１６】
前記タイヤが、産業用車両のタイヤである、請求項１５記載のタイヤ。
【請求項１７】
前記コードが、前記タイヤのカーカス補強材中に存在する、請求項１５または１６記載のタイヤ。
【請求項１８】
前記コードが、前記タイヤのクラウン補強材中に存在する、請求項１５または１６記載のタイヤ。
【発明の詳細な説明】
【技術分野】
【０００１】
本発明は、特にゴム製の物品の補強において使用することのできる３つの同心層を有する金属コードに関し、さらに詳細には、“現場ゴム引き(rubberized in situ)”タイプの３層状金属コード、即ち、その実際の製造中に、ゴムまたはゴム組成物によって内側からゴム引きされているコードに関する。
【０００２】
また、本発明は、タイヤにおける、特に、“カーカス”としても知られているカーカス補強材中でのそのようなコードの使用に関し、さらに詳細には、産業用車両用のタイヤのカーカスの補強にも関する。
【背景技術】
【０００３】
知られているように、ラジアルタイヤは、トレッド、２つの非伸長性ビード、これらのビードをトレッドに連結する２枚の側壁およびカーカス補強材とトレッドの間に円周方向に配置したベルトを含む。このカーカス補強材は、知られている通り、産業用車両用のタイヤの場合一般的には金属タイプのコードまたはモノフィラメントのような補強用要素(“補強材”)によって補強されているゴム製の少なくとも１枚のプライ(または“層”)から構成されている。
【０００４】
上記カーカス補強材を強化するには、一般に、中心層およびこの中心層の周りに配置した１以上の同心ワイヤー層から構成された“層状”スチールコードとして知られているものを使用する。最も頻繁に使用される３層状コードは、本質的に、N本のワイヤーの中間層(Nは典型的には5〜15本の範囲にある)によって取囲まれ、この中間層自体もP本のワイヤーの外側層(Pは典型的には10〜22本の範囲にある)によって取囲まれているM本のワイヤーの中心層(Mは1〜4本の範囲にある)から形成されているM+N+P本構造のコードである；このアッセンブリ全体を、必要に応じて、上記外側層の周りにらせん状に巻いた外側包装用ワイヤーで包装することは可能である。
【０００５】
周知のとおり、これらの層状コードは、タイヤが走行しているとき、高い応力を、特に、ワイヤーにおいて、特に隣接層間の接触の結果としての摩擦、従って磨耗を、さらに、疲労をもたらす繰返しの屈曲または曲率の変化を被る；従って、これらの層状コードは、“疲労・フレッティング”として知られている現象に対する高い抵抗性を有しなければならない。
【０００６】
また、これらの層状コードにゴムを可能な限り含浸させ、この物質が上記コードを構成するワイヤー間の空間の全てに可能な限り良好に浸透することが特に重要である。事実、この浸透が不十分な場合、空のチャンネルまたは毛管が、コードに沿って、また、コード内に形成され、水または空気中の酸素でさえのような腐蝕剤が、例えばタイヤトレッド内の切断の結果として、タイヤに浸透し、これらの空のチャンネルに沿ってタイヤのカーカス内に入り込む傾向を有する。この水分の存在は、乾燥雰囲気における使用と比較して、腐蝕を生じさせ、上記の劣化過程(いわゆる“疲労・腐蝕”現象)を促進するのに重要な役割を果す。
【０００７】
“疲労・フレッティング・腐蝕”の包括的な用語で一般的に分類されているこれらの疲労現象は、全て、上記コードの機械的性質の進行性の劣化を起し、最も厳しい走行条件下では、これらのコードの寿命に影響を及ぼし得る。
【０００８】
上記欠点を軽減するために、出願WO 2005/071157号は、1+N+P本構造、特に、1+6+12本構造を有する３層状コードを提案しており、これらのコードの本質的特徴の１つは、ジエンゴム組成物からなるシースが、少なくとも、N本のワイヤーから構成されている中間層を被覆しており、上記コードのコア自体は、ゴムによって被覆されていても被覆されていなくてもよいことである。この空間設計およびその後の毛管または間隙のゴムによる少なくとも部分的充填にために、優れたゴム浸透性が得られて腐蝕の問題を抑制しているのみならず、疲労・フレッティング耐久特性も従来技術のコードを超えて著しく改良されている。従って、重量物運搬車タイヤおよびそのカーカス補強材の寿命は、極めて顕著に改良されている。
【０００９】
しかしながら、これらのコードの説明されている製造方法および得られるコード自体は、欠点がないわけではない。
先ずは第一に、これらの３層状コードは、先ずは中間の1+N本(特に1+6本)コードを作成し、その後、この中間コードまたはコードストランドを、押出ヘッドを使用してシーズ(sheathing)し、最後に、残りのP本のワイヤーを上記のようにしてシーズしたコアストランドの周りにケーブル外装して外側層を形成する最終操作を含む、不連続という欠点を有する数工程において得られている。未硬化状態のジエンゴムシース固有の“生の粘着性(raw tack)または寄生的粘性の問題を回避するためには、外側層を上記コアストランドにケーブル外装する前に、プラスチック中間層フィルムをも、中間の巻取り(spooling)および巻き戻し(unspooling)操作中に使用しなければならない。これらの一連の取扱い操作は、全て、工業的見地からは過酷であり、高製造速度の達成に逆行している。
【００１０】
さらに、ゴムのコード中への高レベルの浸透を確保してそのコードの軸に沿っての可能な限りの最低限の空気透過性を得ることを欲する場合、シーズ操作中に比較的大量のゴムを使用する従来技術のこれらの方法を使用する必要があることが判明している。そのような量は、製造したままの最終コードの周辺における未硬化ゴムの多かれ少なかれ顕著な望ましくないあふれ出し(overspill)をもたらす。
【００１１】
ところで、上記で既に説明したように、ジエンエラストマーが未硬化状態において有する高粘着性故に、そのような望ましくないあふれ出しは、今度は、コードのその後の操作において、特に、タイヤトレッドの最終製造操作および最終硬化前の、未硬化状態同様のジエンゴムのストリップ中にコードを組込むためのその後のカレンダー加工操作中に、著しい不利益をもたらす。
上記欠点は、全て、当然のこととして、工業的生産速度を低下させ、上記コードおよび上記コードが補強するタイヤの最終コストに対して悪影響を有する。
【発明の概要】
【００１２】
研究中に、本出願人等は、上述の欠点を軽減することのできる特定タイプのゴムを使用して現場ゴム引きした新規な３層状コードを見出した。
【００１３】
従って、本発明の第１の主題は、M本の直径d1を有するワイヤーから構成されている直径dcの第１の層またはコア(C1)を含み、該コアの周りには、第２層(C2)として、N本の直径d2を有するワイヤーがピッチp2のらせんとして一緒に巻かれており、該第２層の周りには、第３層(C3)として、P本の直径d3を有するワイヤーがピッチp3のらせんとして一緒に巻かれているM+N+P本構造の３つの同心層(C1、C2,、C3)を有する金属コードであって、一方の上記コアと上記第２層のN本のワイヤー間およびMが１本よりも多い場合のこれらコアワイヤー自体間、さらに、他方の上記第２層のN本のワイヤーと上記第３層のP本のワイヤー間に位置する上記コード内の少なくとも１部の間隙がゴムまたはゴム組成物を含む上記金属コードであり、このゴムが不飽和熱可塑性エラストマーであることを特徴とする。
【００１４】
本発明のこの３層状コードは、従来技術の現場ゴム引き３層状コードと比較したとき、充填用ゴムとして使用するゴムがジエンタイプよりはむしろ熱可塑性タイプのエラストマーであり、このエラストマーは、定義によれば、ホットメルトエラストマーであり、従って、使用するのがより容易であり、その量を容易に調整することができるという顕著な利点を有する；従って、上記熱可塑性エラストマーを使用する温度を変えることによって、この熱可塑性エラストマーをコード内の各々の間隙中に均一に分布させて、コードにその縦軸に沿って最適の不透過性を付与することが可能である。
【００１５】
さらに、上記の熱可塑性エラストマーは、製造後のコードからの僅かなあふれ出しの場合の望ましくない厚さの問題ももたらさない。最後に、この不飽和熱可塑性エラストマーの不飽和性、従って、(共)加硫性は、そのようにして製造したコードに、タイヤの補強を意図する金属素材においてカレンダー加工用ゴムとして通常使用する天然ゴムマトリックスのような不飽和ジエンゴムマトリックスとの優れた適合性を付与する。
【００１６】
また、本発明は、本発明に従うコードの、ゴム製の最終製品または半製品、例えば、プライ、パイプ、ベルト、コンベアベルト、タイヤの補強における使用にも関する。
本発明のコードは、特に、バン類および重量物運搬車として知られる車両、即ち、地下鉄車両、バス、重量道路輸送車(トラック、トラクター、トレーラーのような)、または道路外車両、農業用または土木機械、並びにあらゆる他のタイプの輸送および作業用車両から選ばれる産業用車両(重荷を搬送する)用のタイヤのカーカス補強材用の補強要素として使用することを意図する。
【００１７】
また、本発明は、本発明に従うコードによって補強されている場合のこれらゴム製の最終物品または半製品自体、特に、バン類または重量物運搬車のような産業用車両用を目的とするタイヤにも関する。
【００１８】
本発明およびその利点は、以下の説明および実施態様に照らして、また、これらの実施例に関連し且つそれぞれ図式的に示している図１〜４から容易に理解し得るであろう。
【図面の簡単な説明】
【００１９】
【図１】コンパクトタイプの、現場ゴム引きした本発明に従う1+6+12本構造のコードを断面において示す。
【図２】現場ゴム引きしてないが、同様にコンパクトタイプである通常の1+6+12本構造のコードを断面において示す。
【図３】本発明に従うコンパクトタイプのコードを製造するのに使用することのできる現場ゴム引きおよび撚り用装置の例を示す。
【図４】この一般的描写においては本発明に従い得るまたは従い得ないラジアルカーカス補強材を入れている重量物運搬車タイヤを半径方向断面において示す。
【発明を実施するための形態】
【００２０】
I. 測定および試験法
I‐1. 動力測定
金属ワイヤーおよびコードに関しては、Fmで示す破壊強度(Nでの最大荷重)、Rmで示す引張破壊強度(MPaでの)およびAtで示す破断点伸び(％での全伸び)の測定を、1984年の規格ISO 6892に従い、張力下に実施する。
ジエンゴム組成物に関しては、モジュラス測定を、特に断らない限り、1998年の規格ASTM D 412 (試験標本“C”)に従い、張力下に実施する：E10で示しMPaで表す10％伸びにおける“真”の割線モジュラス(即ち、試験標本の実際の断面に対するモジュラス)を、２回目の伸びにおいて(即ち、順応サイクル後に)測定する(1999年の規格ASTM D 1349に従う標準温度および湿度条件)。
【００２１】
I‐2. 空気透過性試験
この試験は、一定圧力下に所定時間に亘って試験標本を通過する空気の容量を測定することによって、試験コードの縦方向空気透過性を測定することを可能にする。そのような試験の原理は、当業者にとっては周知であり、コードを空気に対して不透過性にするコードの処理の有効性を実証することである。この試験は、例えば、規格ASTM D2692‐98に記載されている。
試験は、この場合、補強しているタイヤまたはゴムプライから引抜いた、従って、硬化状態のゴムによって外側から既にコーティングされているコード、または製造したままのコードのいずれかにおいて実施する。
【００２２】
後者の場合、製造したままのコードは、先ずは最初に、コーティングゴムとして知られているゴムで外側からコーティングしなければならない。これを実施するためには、互いに平行に配置した10本のコード群(20mmのコード間距離を有する)を、未硬化ジエンゴム組成物の２つの層即ち“スキム”(計測80×200mmの２枚の矩形物)の間に置く；各スキムは、3.5mmの厚さを有する。その後、アッセンブリ全体をモールド内にクランプ固定し、各コードを、締め付けモジュールを使用して、十分な張力(例えば、2daN)下に保ち、コードがモールド内に置かれている間はコードが真直ぐなままにする。その後、加硫(硬化)過程を、140℃の温度および15バールの圧力(計測80×200mmの矩形ピストン)下に40分に亘って実施する。その後、アッセンブリをモールドから取出し、特性決定のために、計測7×7×20mmの平行６面体の形のそのようにコーティングした10本のコード試験標本に切断する。
【００２３】
通常のタイヤジエンゴム組成物をコーティングゴムとして使用する；この組成物は、天然(解凝固)ゴムとN330カーボンブラック(65phr)をベースとし、以下の通常の添加剤も含有する：イオウ(7phr)、スルフェンアミド促進剤(1phr)、ZnO (8phr)、ステアリン酸(0.7phr)、酸化防止剤(0.7phr)およびナフテン酸コバルト(1.5phr) (phrは、ゴム100質量部当りの質量部を意味する)；該コーティングゴムのモジュラスE10は、約10MPaである。
【００２４】
試験は、そんな訳でその周囲の硬化状態のゴム組成物(またはコーティングゴム)でコーティングした2cm長のコードにおいて、以下のように実施する：１バールの圧力の空気をコードの入口に注入しコードを出る空気の容量を流量計(例えば0から500cm3/分まで目盛り付けされた)を使用して測定する。測定中、コード試験標本は、圧縮気密シール(例えば、濃密発泡体またはゴムシール)内に固定して、一端から他端にコードの縦軸に沿ってコードを通過する空気量のみを測定するようにする；気密シール自体の気密性は、固形ゴム試験標本、即ち、コードを含まない試験標本を使用して予めチェックする。
【００２５】
コードの縦方向不透過性が高いほど、測定した平均空気流量(10本の試験標本において平均した)は低い。測定値は±0.2cm3/分以内まで正確であるので、0.2cm3/分以下の測定値は、ゼロであるとみなす；これらの値は、コード軸に沿って(即ち、その縦方向において)気密性(完全に気密性)であると称し得るコードに相応する。
【００２６】
I‐3. 充填ゴム含有量
充填ゴム量は、初期コード(従って、現場ゴム引きコード)の質量と、充填ゴムを適切な抽出溶媒中での処理によって除去したコード(従って、そのワイヤー)の質量との差を測定することによって測定する。
手順は、例えば、以下のとおりである。所定長さ(例えば、1メートル)の、それ自体らせん状にしてサイズを減じたコードの試験標本を、1リットルのトルエンを収容する液体密封性ボトル内に入れる。その後、ボトルを、“シェーカー”(Fischer Scientific “Ping Pong 400”)を使用して、室温(20℃)で24時間撹拌する(分当り125回の外方向/戻り運動)；溶媒を排除した後、上記操作をもう１回繰返す。そのように処理したコードを回収し、残留溶媒を60℃で１時間真空下に蒸発させる。そのようにして充填ゴムを除去したコードを秤量する。これから、計算を使用して、初期コードg (グラム)当り充填ゴムmg (ミリグラム)で表し、10回の測定に亘って(即ち、合計で10メートルのコードに亘って)平均したコードの充填ゴム含有量を推定し得る。
【００２７】
II. 本発明の詳細な説明
本説明においては、特に明確に断らない限り、示す全てのパーセント(%)は、質量％である。
さらにまた、“aとbの間”なる表現によって示される値の範囲は、いずれも、aよりも大きくからbよりも小さいまでに至る値の範囲を示し(即ち、終点aとbを除く)、一方、“a〜b”なる表現によって示される値の間隔は、いずれも、aからbまでに至る値の範囲を意味する(即ち、厳格な終点aおよびbを含む)。
【００２８】
II‐1. 本発明のコード
従って、本発明の金属コードは、下記の３つの同心層を含む：
・M本の直径d1を有するワイヤーから構成されている直径dcの第１層または中心層(C1)；
・上記第１層の周りに、ピッチp2でらせん状に一緒に巻付けられたN本の直径d2を有するワイヤーを含む第２層(C2)；
・上記第２層の周りに、ピッチp3でらせん状に一緒に巻付けられたN本の直径d3を有するワイヤーを含む第３層(C3)。
【００２９】
定義によれば、本出願においては、上記第１層または中心層(C1)は、上記コードの“コア”としても知られており、一方、(C1＋C2)を集成した時点の第１(C1)および第２(C2)層は、上記コードのコアストランドとして慣例的に知られているものを構成する。Mが1本よりも多い場合、勿論、コード(C1)の直径dcは、M本の直径d1を有する中心ワイヤーを取巻く仮想円筒体の回転の直径(またはエンベロープ直径)を示すものと理解しなければならない。
【００３０】
本発明のこのコードは、現場ゴム引きコードと称し得る、即ち、このコードは、その実際の製造中に、充填ゴムとして知られているゴムまたはゴム組成物によって内側からゴム引きされている。
換言すれば、製造したままの状態において、一方の上記M本のコアワイヤー(C1)と上記第２層(C2)のN本のワイヤー間に、さらに、他方の上記第２層(C2)のN本のワイヤーと上記第３層(C3)のP本のワイヤー間に、或いはMが１本よりも多い場合の上記M本のコアワイヤー自体間にすら位置する上記コードの“毛管”または“間隙”(これら２つの用語は、互換的であり、充填ゴムの不存在下に隣接のワイヤーによって形成された自由な空の空間を意味する)の大部分または好ましくは全部が、既に、上記間隙を上記コードの軸に沿って連続してまたは不連続に少なくとも部分的に充たす充填剤ゴムとして特定のゴムを含有している。製造したままのコードとして意味するものは、勿論、本発明の上記コードによって後で補強することを意図するタイヤのようなゴム製の半製品または最終物品のジエンゴム(例えば、天然ゴム)マトリックスとまだ接触させていないコードである。
【００３１】
この特定のゴムは、単独でまたは必要に応じての添加剤と一緒に(この場合、不飽和熱可塑性エラストマー組成物の形で)使用して上記充填ゴムを構成する不飽和熱可塑性エラストマーである。
【００３２】
ここで、先ずは最初に、熱可塑性エラストマー(略して“TPE”)は、熱可塑性ブロックをベースとするブロックコポリマーの形の熱可塑性エラストマーであることを思い起されたい。熱可塑性ポリマーの構造とエラストマーの構造との間にある構造をどこかに有して、熱可塑性エラストマーは、知られている通り、可撓性エラストマー配列、例えば、不飽和TPEの場合のポリブタジエンまたはポリイソプレン配列或いは飽和TPEの場合のポリ(エチレン/ブチレン)によって連結されている硬質熱可塑性、特にポリスチレン配列から構成されている。
【００３３】
このことが、知られている通り、上記TPEブロックコポリマーが、一般に、２つのガラス転移ピーク、即ち、上記TPEコポリマーのエラストマー配列に関連する第１のピーク(低い一般に負の温度)および上記TPEコポリマーの熱可塑性(例えばスチレンブロック)部分に関連する第２のピーク(TPSタイプの好ましいエラストマーにおける典型的には80℃よりも高い正の高い温度)の存在に特徴を有する理由である。
【００３４】
これらのTPEは、多くの場合、１つの可撓性セグメントによって連結された２つの硬質セグメントを有するトリブロックエラストマーである。硬質および可撓性セグメントは、線状に、星型状にまたは枝分れ形に配列し得る。また、これらのTPEは、可撓性セグメントに連結した１つの硬質セグメントを有するジブロックエラストマーでもあり得る。典型的には、これらのセグメントまたはブロックの各々は、少なくとも５個よりも多い、一般的には10個よりも多い基本単位(例えば、スチレン/イソプレン/スチレンブロックコポリマーにおけるスチレン単位とイソプレン単位)を有する。
【００３５】
注意すべきは、本発明の複合補強材において使用するTPEの１つの本質的特徴が不飽和であるということである。不飽和TPEは、定義によれば、また、周知のとおり、エチレン不飽和を有する、即ち、(共役または非共役)炭素‐炭素二重結合を含有するTPEを意味する；逆に、飽和であると称するTPEは、勿論、そのような二重結合を有していないTPEである。
【００３６】
不飽和TPEの不飽和性は、不飽和TPEが、イオウによって(共)架橋性、(共)加硫性であって、不飽和TPEを、タイヤの補強を意図する金属素材におけるカレンダー加工用ゴムとして汎用的に使用される天然ゴムをベースとするマトリックスのような不飽和ジエンゴムマトリックスと有利に適合性にすることを意味する。従って、上記コードからの、その製造中の充填ゴムの如何なるあふれ出しも、この欠点が、タイヤの最終硬化中に、不飽和TPEとカレンダー加工用ゴムのジエンエラストマー間の共架橋の実現性により実際に修正され得るので、上記金属素材のカレンダー加工用ゴムへのその後の接着に対して有害ではない。
【００３７】
好ましくは、不飽和TPEは、熱可塑性スチレン(略して“TPS”)エラストマー、即ち、熱可塑性ブロックとして、スチレン(ポリスチレン)ブロックを含む熱可塑性スチレンエラストマーである。
さらに好ましくは、不飽和TPSエラストマーは、ポリスチレンブロック(即ち、重合スチレンモノマーから形成されたブロック)とポリジエンブロック(即ち、重合ジエンモノマーから形成されたブロック)を含むコポリマーであり、好ましくは、後者は、ポリイソプレンブロックおよび/またはポリブタジエンブロックである。
【００３８】
また、ポリジエンブロック、特に、ポリイソプレンおよびポリブタジエンブロックは、拡大解釈すれば、本出願においては、ランダムスチレン/イソプレン(SI)またはスチレン/ブタジエン(SB)コポリマーブロックのような、特にイソプレンまたはブタジエンのランダムジエンコポリマーブロックを意味する；これらのポリジエンブロックは、特に、ポリスチレン熱可塑性ブロックと結合して上記の不飽和TPSエラストマーを構成する。
【００３９】
スチレンモノマーとは、非置換または置換スチレン系の任意のモノマーを意味するものと理解すべきである；置換スチレンとしては、例えば、メチルスチレン(例えば、o‐メチルスチレン、m‐メチルスチレンもしくはp‐メチルスチレン、アルファ‐メチルスチレン、アルファ‐2‐ジメチルスチレン、アルファ‐4‐ジメチルスチレン、またはジフェニルエチレン)、パラ‐tert‐ブチルスチレン、クロロスチレン(例えば、o‐クロロスチレン、m‐クロロスチレン、p‐クロロスチレン、2,4‐ジクロロスチレン、2,6‐ジクロロスチレンまたは2,4,6‐トリクロロスチレン)、ブロモスチレン(例えば、o‐ブロモスチレン、m‐ブロモスチレン、p‐ブロモスチレン、2,4‐ジブロモスチレン、2,6‐ジブロモスチレンまたは2,4,6‐トリブロモスチレン)、フルオロスチレン(例えば、o‐フルオロスチレン、m‐フルオロスチレン、p‐フルオロスチレン、2,4‐ジフルオロスチレン、2,6‐ジフルオロスチレンまたは2,4,6‐トリフルオロスチレン)、パラ‐ヒドロキシスチレンおよびそのようなモノマーのブレンドがあり得る。
【００４０】
ジエンモノマーとは、２個の共役または非共役炭素‐炭素二重結合を担持する任意のモノマー、特に、イソプレン、ブタジエン、1‐メチルブタジエン、2‐メチルブタジエン、2,3‐ジメチル‐1,3‐ブタジエン、2,4‐ジメチル‐1,3‐ブタジエン、1,3‐ペンタジエン、2‐メチル‐1,3‐ペンタジエン、3‐メチル‐1,3‐ペンタジエン、4‐メチル‐1,3‐ペンタジエン、2,3‐ジメチル‐1,3‐ペンタジエン、2,5‐ジメチル‐1,3‐ペンタジエン、1,3‐ヘキサジエン、2‐メチル‐1,3‐ヘキサジエン、3‐メチル‐1,3‐ヘキサジエン、4‐メチル‐1,3‐ヘキサジエン、5‐メチル‐1,3‐ヘキサジエン、2,5‐ジメチル‐1,3‐ヘキサジエン、2‐ネオペンチルブタジエン、1,3‐シクロペンタジエン、1,3‐シクロヘキサジエン、1‐ビニル‐1,3‐シクロヘキサジエンおよびそのようなモノマーのブレンドからなる群から特に選ばれる4〜12個の炭素原子を有する任意の共役ジエンモノマーを意味するものと理解すべきである。
【００４１】
そのような不飽和TPSエラストマーは、特に、スチレン/ブタジエン(SB)、スチレン/イソプレン(SI)、スチレン/ブタジエン/ブチレン(SBB)、スチレン/ブタジエン/イソプレン(SBI)、スチレン/ブタジエン/スチレン(SBS)、スチレン/ブタジエン/ブチレン/スチレン(SBBS)、スチレン/イソプレン/スチレン(SIS)およびスチレン/ブタジエン/イソプレン/スチレン(SBIS)の各ブロックコポリマー、並びにこれらのコポリマーのブレンドからなる群から選ばれる。
【００４２】
さらにより好ましくは、この不飽和TPSエラストマーは、少なくとも３つのブロックを含有するコポリマーである；このコポリマーは、特に、スチレン/ブタジエン/スチレン(SBS)、スチレン/ブタジエン/ブチレン/スチレン(SBBS)、スチレン/イソプレン/スチレン(SIS)およびスチレン/ブタジエン/イソプレン/スチレン(SBIS)の各ブロックコポリマー、並びにこれらのコポリマーのブレンドからなる群から選ばれる。
【００４３】
本発明の特定の好ましい実施態様によれば、上記不飽和TPSエラストマー中のスチレン含有量は、5％と50%の間の量からなる。5％よりも低いと、上記TPSエラストマーの熱可塑性が不十分であるリスクが存在し、一方、50％よりも高いと、第１のこのエラストマーの過度の剛性化および第２の(共)架橋されるべきその能力の低下のリスクが存在する。
【００４４】
本発明のもう１つの特定の好ましい実施態様によれば、上記TPE (特に、TPSエラストマーの数平均分子量(Mnで示す)は、好ましくは5000g/モルと500000g/モルの間からなり、より好ましくは7000g/モルと450000g/モルの間からなる。上記TPSエラストマーの数平均分子量(Mn)は、立体排除クロマトグラフィー(SEC)により、既知の方法で測定する。試験標本を、予め、約1g/lの濃度でテトラヒドロフラン中に溶解し、その後、溶液を、0.45μmの有孔度を有するフィルター上で、注入前に濾過する。使用する装置は、“WATERS alliance”クロマトグラフセットである。溶出溶媒はテトラヒドロフランであり、流量は0.7ml/分であり、系の温度は35℃であり、分析時間は90分である。商品名“STYRAGEL”(“HMW7”、“HMW6E”および２ロットの“HT6E”)を有する直列の４本のWATERSカラムセットを使用する。ポリマー試験標本溶液の注入容量は、100μlである。検出器は、“WATERS 2410”示差屈折計であり、クロマトグラフデータを処理するその関連ソフトウェアは、“WATERS MILLENNIUM”システムである。算出した平均分子量は、ポリスチレン試験標準を使用して得られた較正曲線と関連する。
【００４５】
本発明のもう１つの特定の好ましい実施態様によれば、上記不飽和TPE (特に、TPSエラストマー)のTg (エラストマー配列に関連する第１Tgを思い起されたい)は、0℃よりも低く、特に−15℃よりも低い；このパラメーターは、DSC (示差走査熱量測定)によって、例えば規格ASTM D3418‐82に従い、既知の方法で測定する。
本発明のもう１つの特定の好ましい実施態様によれば、上記不飽和TPE (特に、TPSエラストマー)のシュアA硬度(ASTM D2240‐86に従って測定)は、10と100の間からなり、特に20〜90の範囲からなる。
【００４６】
例えば、SB、SI、SBS、SIS、SBBSまたはSBISのような不飽和TPSエラストマーは、周知であり、例えば、Kraton社から、商品名“Kraton D”(例えば、製品 D1161、D1118、D1116、D1163)として；Dynasol社から、商品名“Calprene”(例えば、製品 C405、C411およびC412)として；Polimeri Europa社から、商品名“Europrene”(例えば、製品SOLT166)として；BASF社から、商品名“Styroflex”(例えば、製品2G66)として；或いは、Asahi社から、商品名“Tuftec”(例えば、製品P1500)として商業的に入手可能である。
【００４７】
上記で説明した不飽和熱可塑性エラストマーは、本発明のコードの毛管または間隙を塞ぐその機能を完全に果す充填ゴム用にはそのままで十分である。しかしながら、各種の他の添加剤を、典型的には少量で(上記不飽和熱可塑性エラストマーに対しゴム100質量部当り好ましくは20質量部よりも少ない、より好ましくは10質量部よりも少ない質量部で)添加し得、これら添加剤としては、例えば、可塑剤、カーボンブラックまたはシリカのような補強用充填剤、非補強用または不活性充填剤、層状充填剤、酸化防止剤またはオゾン劣化防止剤のような保護剤、各種他の安定剤、例えば充填ゴムの着色を意図する着色剤がある。また、上記充填剤ゴムは、不飽和熱可塑性エラストマー画分に対して少量質量画分で、不飽和熱可塑性エラストマー以外のポリマーまたはエラストマーも含み得る。
【００４８】
本発明は、勿論、架橋(加硫)状態および未架橋(未加硫)状態双方の上記で説明したコードに関する。しかしながら、上記コードを、後で、使用を意図するタイヤのような半製品または最終製品に組込んで充填ゴムと周囲のゴムマトリックス(例えば、カレンダー加工用ゴム)との間の最終架橋または加硫中の結合を促進させるときのような時間までは、未硬化状態の充填ゴムを含む本発明のコードを使用するのが好ましい。
【００４９】
図１は、コード(直線状で且つ静止しているものと想定する)の軸に対して垂直の断面において、コアまたは中心層(C1)が１本のワイヤーからなる本発明に従う好ましい1+6+12本コードの１つの例を略図的に示す。
【００５０】
このコード(C‐1で示す)は、コンパクトタイプである、即ち、その第２および第３層(それぞれC2およびC3)は、同じ方向(公認された用語を使用してのS/SまたはZ/Z)で、さらにまた、同じピッチ(p2 = p3)で巻付けている。このタイプの構造は、これらの第２および第３層(C2、C3)のワイヤー(１１、１２)が、第１層またはコア(C1)の周りに、２つの実質的に同心の層を形成しており、これらの層の各々は、いわゆる円筒状層を有するコードの場合のような円筒体よりはむしろ実質的に多角形(さらに詳細には六角形)である輪郭(E) (点線で示している)を有することを意味している。
【００５１】
充填ゴム(１３)は、上記コードの各層(C1、C2、C3)の隣接ワイヤー(3本で認められる)によって形成され、これらのワイヤーを僅かに離している各毛管(１４) (三角符号で示している)を充たしている。これらの毛管または間隙は、コアワイヤー(１０)とこのコアワイヤーを取巻いている第２層(C2)のワイヤー(１１)とにより、または第２層(C2)の２本のワイヤー(１１)とこれら2本に直近する第３層(C3)の1本のワイヤー(１３)とにより、さらにまた、第２層(C2)の各ワイヤー(１１)と各ワイヤー(１１)と直近している第３層(C3)の2本のワイヤー(１２)とによって自然に形成されていることを理解し得る；従って、合計して、24の毛管または間隙(１４)がこの1+6+12本コードに存在している。
好ましい実施態様によれば、本発明に従うコードにおいては、上記充填ゴムは、上記充填ゴムが覆っている第２層(C2)の周りに連続して延びている。
【００５２】
ちなみに、図２は、断面において、同様に上記コンパクトタイプの通常の1+6+12本コード(C‐2で示す) (即ち、現場ゴム引きされていないコード)の覚えを提供している。充填ゴムの不存在は、特に全てのワイヤー(２０、２１、２２)が互いに接触しており、特にコンパクトであり、ゴムが外側から浸透するのが極めて困難である(不可能とは言わないにしても)構造体をもたらすことを意味している。このタイプのコードの特徴は、各々のワイヤーが3本でチャンネルまたは毛管(２４)を形成し、それらの大多数は、閉じて空のままであり、従って、“ウィッキング作用”によって、水のような腐蝕性媒体が伝播することを可能にする。
【００５３】
本発明のコードは、例えば、このコードの周りに外側層(C3)のピッチよりも短いピッチでらせん状に且つこの外側層方向と反対または同じである巻き方向に巻付けた1本の金属または非金属ワイヤーからなる外側包装材を備え得る。しかしながら、その特定の構造故に、本発明のコードは、既に自己包装されており、一般的には、外側包装用ワイヤーの使用を必要とせず、このことは、包装材とコードの最外層のワイヤーとの間の磨耗の問題を有利に解決する。
【００５４】
しかしながら、包装用ワイヤーを使用する場合、外側層のワイヤーが炭素鋼製である一般的な場合においては、その場合、例えば出願WO‐A‐98/41682号に教示されているように、有利には、ステンレススチール製の包装用ワイヤーを選択して、ステンレススチール包装材との接触時のこれら炭素鋼ワイヤーのフレッティング磨耗を低減させ得る；上記ステンレススチールワイヤーは、例えば文献EP‐A‐976 541号に記載されているように、スキム(表皮)のみがステンレススチール製でありコアは炭素鋼製である複合体ワイヤーによって同種交換し得る。また、ポリエステル製または出願WO‐A‐03/048447号に記載されているようなサーモトロピック芳香族ポリエステル‐アミド製の包装材を使用することも可能である。
【００５５】
好ましい実施態様においては、任意の2cm以上の長さのコードに亘って、上記不飽和TPSエラストマーは、一方のコア(C1)と第２層(C2)のN本ワイヤー間およびMが1本よりも多い場合のそれらコアワイヤー自体間に、さらに、他方の第２層(C2)のN本ワイヤーと第３層(C3)のP本ワイヤー間に位置する毛管の各々中に存在する。
【００５６】
もう１つの好ましい実施態様によれば、充填ゴム含有量は、本発明のコードにおいて、コードのg当り5mgと40mgの間の量からなる。上記の最低値よりも少ないと、充填ゴムが上記コードの各々の間隙または毛管中に少なくとも部分的に存在することを担保するのがより困難であり、一方、上記最高値よりも多いと、上記コードは、コード周辺での充填ゴムの過度のあふれ出しのリスクを被る。これらの全ての理由により、充填ゴム含有量は、コードのg当り5mgと35mgの量、特に5mgと30mgの量、特に10〜25mgの範囲からなることが好ましい。
【００５７】
もう１つの特に好ましい実施態様によれば、2cmに等しい長さのコードの任意の部分に亘って、本発明のコードの各毛管または間隙は、この毛管または間隙を、パラグラフI‐2に従う空気透過性試験において、本発明のこのコードが2cm3/分よりも低い、より好ましくは0.2cm3/分よりも低い、または多くとも0.2cm3/分に等しい平均空気流量を有するような形で封鎖する少なくとも１個のゴムプラグを含む。
【００５８】
もう１つの好ましい実施態様によれば、本発明のコードにおいては、直径dcのコアまたは中心層(C1)は1〜4本の直径d1のワイヤーから構成され(即ち、Mは1〜4本の範囲からなり)、Nは5〜15本の範囲からなり、Pは10〜22本の範囲からなる。
好ましくは、本発明のコードは、下記の特性も有する(d1、d2、d3、p2およびp3はmmで表す)：
・0.08 ≦ d1 ≦ 0.40；
・0.08 ≦ d2 ≦ 0.35；
・0.08 ≦ d3 ≦ 0.35；
・5 π (d1 + d2) < p2 ≦ p3 < 10 π (d1 + 2d2 + d3)。
【００５９】
本発明のコードのコア(C1)は、好ましくは、1本の個々のワイヤーまたは多くとも2または3本のワイヤーから構成され、例えば、これらのワイヤーは、平行であるかまたは一緒に撚り合せていてもよい。しかしながら、より好ましくは、本発明のコードのコア(C1)は1本のワイヤーから構成され、Nは5〜7本の範囲からなり、Pは10〜14本の範囲からなる。
【００６０】
上記コードの強度、実現可能性、剛性および曲げ耐久性間の最適の妥協点のためには、層C1、C2およびC3のワイヤーの直径は、これらのワイヤーが互いに同じ直径を有するまたは有さないかのいずれであっても、下記の関係を満たすことが好ましい(d1、d2、d3はmm表す)：
・0.10 ≦ d1 ≦ 0.35；
・0.10 ≦ d2 ≦ 0.30；
・0.10 ≦ d3 ≦ 0.30。
【００６１】
さらにより好ましくは、下記の関係を満たす：
・0.10 ≦ d1 ≦ 0.28；
・0.10 ≦ d2 ≦ 0.25；
・0.10 ≦ d3 ≦ 0.25。
【００６２】
もう１つの特定の実施態様によれば、下記の特徴を満たす：
・N = 5において：0.6 < (d1 / d2) < 0.9；
・N = 6において：0.9 < (d1 / d2) < 1.3；
・N = 7において：1.3 < (d1 / d2) < 1.6。
【００６３】
層C2およびC3のワイヤーは、互いに同じまたは異なる直径を有し得る；好ましくは、互いに同じ直径(即ち、d1 = d2 = d3)のワイヤーを使用する；これは、特に製造を簡素化し、コードのコストを低下させることによる。
好ましくは、下記の関係を満たす：
5 π (d1 + d2) < p2 ≦ p3 < 5 π (d1 + 2d2 + d3).
【００６４】
ここで、知られている通り、ピッチ“p”は、上記コードの軸に平行して測定した長さを示し、その後、このピッチを有するワイヤーは、上記コード軸の回りに完全な折り返し(turn)をなすことを思い起されたい。
ピッチp2およびp3は、特にd2 = d3である場合、より好ましくは5〜30mmの範囲内、さらにより好ましくは5〜20mmの範囲内で選定する。
【００６５】
コア(C1)が1本よりも多いワイヤー(1本よりも多いM)から構成されている場合、M本のワイヤーを好ましくは集成させ、特に、より好ましくは3〜30mmの範囲、特に3〜20mmの範囲からなるピッチp1で撚り合せる。
【００６６】
もう１つの好ましい実施態様によれば、p2とp3は等しい。これは、特に、２つの層C2およびC3が同じ撚り方向(S/SまたはZ/Z)で巻かれているというさらなる特徴を有する、例えば図１に略図的に示しているコードのようなコンパクトタイプの層状コードの場合である。そのような“コンパクト”層状コードにおいては、その緻密度は、これらのコードの断面が、図１(本発明に従うコンパクト1+6+12本コード)または図２(対照コンパクト1+6+12本コード、即ち、現場ゴム引きしていないコード)において例として示しているように、円筒形よりはむしろ多角形である輪郭を有しているように極めて高い。
【００６７】
第３層または外側層C3は、飽和層であるという好ましい特徴を有する、即ち、定義すれば、この層には、少なくとも1本の(Pmax+1)番目の直径d3を有するワイヤーをこの層に加えるに十分なスペースは存在しない；Pmaxは、第２層C2の周りに層において巻付けることのできるワイヤーの最大本数を示す。この構造は、その周辺での充填ゴムのあふれ出しのリスクをさらに抑制し且つ、所定のコード直径において、より高い強度を付与するという顕著な利点を有する。
【００６８】
従って、ワイヤーの本数Pは、本発明の特定の実施態様に従って極めて大きい度合で変動し得る；ワイヤーPの最大本数は、その直径d3を第２層のワイヤーの直径d2と比較して短くして外側層を好ましく飽和状態に保つ場合に増大することを理解されたい。
より好ましい実施態様によれば、層C3は、10〜14本のワイヤーを含む；上記のコードのうちでは、特に選択するコードは、層C2から層C3において実質的に同じ直径(即ち、d2 = d3)を有するワイヤーから構成されているコードである。
【００６９】
特に好ましい実施態様によれば、第１層(C1)は1本のワイヤーを含み(Mは1本に等しい)、第２層(C2)は6本のワイヤーを含み(Nは6本に等しい)、第３層(C3)は11本または12本のワイヤーを含む(Pは11または12本に等しい)；換言すれば、本発明のコードは、好ましい構造1+6+11本または1+6+12本を有する。これらのコードのうち、特に好ましいコードは、第２層C2から第３層C3において実質的に同じ直径(即ち、d2 = d3)を有するワイヤーから構成されているコードである。
本発明のコードは、全ての層状コードと同様に、２つのタイプ、即ち、コンパクト層を有するタイプまたは円筒状層を有するタイプを有し得る。
【００７０】
好ましくは、Mが1本よりも多い場合の２つの層C2およびC3並びに層C1は、同じ撚り合せ方向で、即ち、S方向(“S/S”配列)またはZ方向(“Z/Z”配列)のいずれかで巻付けられている。これらの層の同じ方向での巻付けは、有利なことに、これら２つの層間の摩擦を、従って、これらの層を構成するワイヤーの磨耗を最低限にする。さらに好ましくは、これらの層は、同じ撚り合せ方向および同じピッチ(即ち、p2 = p3またはMが1本よりも多い場合のp1 = p2 = p3)で巻付けて、例えば図１に示しているようなコンパクトタイプのコードを得る。
【００７１】
用語“金属コード”とは、定義によれば、本出願においては、主として(即ち、これらのワイヤーの本数で50％よりも多くが)または全体(ワイヤーの100％)が金属材料からなるワイヤーから形成されているコードを意味するものと理解されたい。
互いに、また、個々に、コア(C1)のM本のワイヤー、第２層(C2)のN本のワイヤーおよび第３層(C3)のP本のワイヤーは、好ましくは、鋼製、より好ましくは炭素鋼製である。しかしながら、勿論、他の鋼、例えば、ステンレススチール、或いは他の合金を使用することも可能である。
【００７２】
炭素鋼を使用する場合、その炭素含有量(鋼のうちの質量％)は、好ましくは0.2％と1.2％の間、特に0.5％と1.1％の間の量からなる；これらの含有量は、タイヤにおいて必要とする機械的性質とワイヤーの具現可能性との間の良好な妥協点を示す。0.5％と0.6％の量からなる炭素含有量が、そのような鋼は延伸するのがより容易であることから、最終的にはそのような鋼をより安価なものとすることに留意すべきである。また、本発明のもう１つの有利な実施態様は、意図する用途にもよるが、特に低コストおよび高い延伸性故に、例えば0.2％と0.5％の間の量からなる低炭素含有量を有する鋼を、使用することからなる。
【００７３】
使用する金属または鋼は、炭素鋼またはステンレススチールのいずれであれ、それ自体を、例えば、上記金属コードおよび/またはその構成要素の加工性或いは上記コードおよび/またはタイヤ自体の使用特性、例えば、接着性、耐腐蝕性またはエージングに対する耐性を改良する金属層でコーティングし得る。１つの好ましい実施態様によれば、使用する鋼は、黄銅(Zn‐Cu合金)または亜鉛の層で被覆する；ワイヤーの製造工程中、黄銅または亜鉛コーティングは、ワイヤーの延伸を容易にし、且つワイヤーのゴムへの接着を良好にすることを思い起されたい。しかしながら、上記ワイヤーは、例えばこれらワイヤーの耐腐蝕性および/またはこれらワイヤーのゴムへの接着性を改良する機能を有する黄銅または亜鉛以外の金属の薄層、例えば、Co；Ni；Al；化合物Cu、Zn、Al、Ni、Co、Snの２種以上の合金の薄層によって被覆し得る。
【００７４】
本発明のコードは、好ましくは、炭素鋼から製造し、好ましくは2500MPaよりも高い、より好ましくは3000MPaよりも高い引張強度(Rm)を有する。上記コードの破断点全体伸び(At)は、その構造性、弾性および塑性伸びの和であって、好ましくは2.0％よりも大きく、より好ましくは少なくとも2.5％に等しい。
【００７５】
II‐2. 本発明のコードの製造
本発明の上記３層状(C1+C2+C3)コードは、少なくとも下記の工程を含む方法を使用して製造し得る：
・コア(C1)の周りにN本のワイヤーの第２層(C2)を集成して、“集成点”と称するポイントにおいて、C1+C2 (またはM+N本)構造の“コアストランド”と称する中間コードを形成させる工程；
・上記集成点の上流および/または下流において、上記コアおよび/またはコアストランドを、溶融状態で押出した上記不飽和熱可塑性エラストマーでシーズする工程；
・その後の、P本のワイヤーの第３層(C3)を、そのようにしてシーズした上記コアストランド(C1+C2)の周りに集成する工程。
勿論、Mが1本よりも多い場合、上記方法は、M本のワイヤーの中心層(C1)を集成する前集成工程(SまたはZのどちらかの方向)を含む。
【００７６】
下記のいずれかによる２つの可能性ある金属ワイヤーの集成方法が存在することを思い起されたい：
・ケーブル外装による：この場合、ワイヤーは、集成点の前後の同期回転のために、ワイヤー自体の軸の周りでの撚り合せを受けない；
・撚り合せによる：この場合、ワイヤーは、集合的撚り合せおよびワイヤー自体の軸の周りでの個々の撚り合せの双方を受け、それによってワイヤーの各々上およびコード自体上で撚り戻し(untwisting)を生じさせる。
上記方法は双方とも応用可能であるが、好ましくは、上記集成工程の各々において撚り合せ工程を使用する。
【００７７】
上記で定義した“集成点”の下流においては、コアストランドに適用する引張応力は、好ましくは、その破壊強度の10％と25％の間からなる。
従って、上記方法においては、いわゆる充填ゴムは、コード中に、コードを製造しながら、コア単独もしくはコアストランド単独、またはコアおよびコアストランドの双方をシーズすることによって現場導入する；上記シーズ処理は、既知の方法で、例えば、溶融状態の充填ゴムを給送する少なくとも１つ(即ち、１以上)の押出ヘッドに通すことによって実施する。
【００７８】
上記または各押出ヘッドを、使用する上記TPEの特定の性質およびその熱特性に適合するように容易に調整可能な適切な温度に上げる。好ましくは、上記不飽和TPEの押出温度は、100℃と250℃の間、より好ましくは150℃と200℃の間の温度からなる。典型的には、押出ヘッドは、例えば回転シリンダーの形状を有するシーズ領域を構成し、その直径は、好ましくは0.15mmと1.2mmの間、より好ましくは0.20mmと1.0mmからなり、その長さは、好ましくは、1mmと10mmの間からなる。
【００７９】
溶融状態の不飽和TPEは、そのようにして、コアおよび/またはコアストランドを、シーズヘッドによって、典型的に数メートル〜数十メートル/分の進行速度で、典型的には数cm3/分〜数十cm3/分の押出ポンプ流量にて被覆する。コアまたはコアストランドは、必要に応じて、有利には、押出ヘッドを通る前に、例えば、HF発生器または加熱トンネルに通すことによって予熱する。
【００８０】
第１の好ましい実施態様によれば、シーズ処理は、単独のコア(C1)において、即ち、このコアの周りへのN本のワイヤーの第２層(C2)の集成点の上流で実施する；そのような場合、一旦シーズしたコアを、好ましくは20μmよりも大きい、典型的には20μmと100μmの間からなる最小厚の不飽和TPEで、その後上記コードの第２層のワイヤーをこの第２層を乗せた時点でコーティングするのに十分な量で被覆する。
【００８１】
その後、N本のワイヤーの第２層(C2)を、それ自体既知の方法で、コア(C1)の周りにケーブル外装し或いは一緒に撚り合せて(S方向またはZ方向)、コアストランド(C1+C2)を形成させる；ワイヤーは、N本のワイヤーをコアの周りに共通の撚り合せ点(または集成点)において集束させることを意図するスプール、分配用グリッドのような供給手段(集成ガイドにカップリングさせてもまたはさせなくても良い)によって給送する。
【００８２】
もう１つの好ましい実施態様によれば、シーズ処理は、コアストランド(C1+C2)自体において、即ち、上記コアの周りへのN本のワイヤーの第２層(C2)の集成点の下流(上流よりはむしろ)において実施する；そのような場合、一旦シーズしたコアストランドを、好ましくは5μmよりも大きい、典型的には5μmと30μmの間からなる最小厚の不飽和TPEで被覆する。
従って、上記好ましい場合(コアまたはコアストランドのいずれかをシーズする)の双方において、充填ゴムは、単一の押出ヘッドにより、単一で小サイズの固定点において給送し得る。
【００８３】
しかしながら、本発明のコードの現場ゴム引きは、２つの連続するシーズ操作、即ち、コアにおける(従って、集成点の上流における)第１のシーズ操作およびコアストランドにおける(従って、集成点の下流における)第２のシーズ操作においても実施し得る。
【００８４】
好ましくは、上記で説明した全ての工程を、製造するコードのタイプのいずれにおいても(円筒形層状コード同様にコンパクトコードも)、インラインで且つ連続して、全て高速度で実施する。上記方法は、50m/分を超える、好ましくは70m/分を超える、特に100m/分を超える速度(コードが生産ラインを流下する速度)で実施し得る。
【００８５】
しかしながら、勿論、本発明のコードは、不連続で、例えば、先ずは最初にコアストランド(C1+C2)をシーズし、充填ゴムを固化し、その後、このストランドを、第３の最終層(C3)を集成する最終操作の前に、スプールして貯蔵することによっても製造することが可能である；上記エラストマーシースの固化は、容易である；固化は、任意の適切な冷却手段によって、例えば、空冷または水冷によって、水冷の場合はその後乾燥操作によって実施し得る。
【００８６】
第３工程の過程においては、最終集成を、コアストランド(M+NまたはC1+C2)の周りに第３層または外側層(C3)のP本のワイヤーをケーブル外装するかまたは撚り合せ(S方向またはZ方向)することによって実施する。この最終集成においては、P本のワイヤーは、溶融状態の充填ゴムに対し圧迫する結果となり、充填ゴム中に埋込まれた状態になる。充填ゴムは、これらのP本の外側ワイヤーによって加えられた圧力下に移動するとき、コアストランド(C1+C2)と外側層(C3)間のワイヤーによる空で残った間隙または空洞の各々に浸透する自然な傾向を有する。
【００８７】
この段階において、本発明のコードの製造は終了する。しかしながら、本発明の好ましい実施態様に従い、上記コードの各層を撚り合せによって集成る場合、撚り均衡化(twist balancing)工程を追加して、撚り均衡化したと称するコードを得ることが好ましい；“撚り均衡化”は、この場合、知られている通り、コード上に生じた残留撚り合せ回転の消去(または、跳ね返り(spring-back)の撚り戻し)を意味する。撚り均衡化用具は、撚り合せ技術における熟練者にとっては周知である；これらの用具は、例えば、修正機(straightener)および/または撚糸機および/または撚糸機・修正機(撚糸機の場合はプーリーまたは修正機の場合は小直径ロールからなり、これらのプーリーおよび/またはロールを通ってコードは進行する)からなる。
【００８８】
好ましくは、そのようにして完成させた本発明のこのコードにおいては、コードの2本の隣接ワイヤー間の充填ゴムの厚さは、いずれの隣接ワイヤーであり得ても、1〜10μmで変動する。このコードは、例えばカレンダー加工用装置によって処理して、例えばタイヤカーカス補強材として或いはタイヤクラウン補強材として使用することのできる金属/ゴム複合素材を製造する前の貯蔵のために、受入れスプールに巻取り得る。
【００８９】
上記で説明した方法は、１つの特に好ましい実施態様に従い、周辺に充填ゴムを有さない或いは実質上有さないコードを製造することを可能にする；このことが意味することは、充填ゴムの粒子がコードの周辺に裸眼で目に見えないこと、即ち、当業者が、製造後、裸眼で、3メートル以上の距離から、本発明に従うコードのスプールと現場ゴム引きしていない通常のコードのスプール間の差異を見分けられないことを意味する。
【００９０】
しかしながら、上述したように、上記コードの周辺における充填ゴムの可能性ある何らかのあふれ出しは、後でのその金属素材カレンダー加工用ゴムへの接着にとって、上記不飽和熱可塑性エラストマーと上記カレンダー加工用ゴムのジエンエラストマーの共架橋可能な性質のために有害ではない。
【００９１】
本発明は、勿論、コンパクトタイプのコード(思い起すべきは、また、定義によれば、これらのコードは、層C1 (Mが1本よりも多い場合)、C2およびC3が同じピッチで同じ方向に巻付けられているコードである)に該当し、同時に、円筒状層を有するタイプのコード(思い起すべきは、また、定義によれば、これらのコードは、層C1 (Mが1本よりも多い場合)、C2およびC3が異なるピッチ(撚りの方向は、同一かまたはそうでない)で反対方向(ピッチは同一かまたは異なる)に巻付けられているコードである)にも該当する。
【００９２】
この方法を実施するのに好ましく使用し得る集成およびゴム引き装置は、コードが形成されるときのコードの進行方向の上流から下流までに下記の手段を含む装置である：
・一方の第１層またはコア(C1)のM本のワイヤーを供給するための、さらに、他方の第２層(C2)のN本のワイヤーを供給するための供給手段；
・第１層(C1)の周りに第２層(C2)を適用するためのN本のワイヤーを“集成点”と称する点において集成して、M+N本構造の“コアストランド”と称する中間コードを形成する第１の集成手段；
・そのようにシーズしたコアストランドの周りにP本のワイヤーを集成して、第３層(C3)を適用する第２の集成手段；
・溶融状態の上記熱可塑性エラストマーを給送し、それぞれ、第１の集成手段の上流および/または下流に配置されて、上記コアおよび/または上記M+N本コアストランドをシーズする押出手段。
【００９３】
勿論、Mが1本よりも多い場合、上記装置は、これらM本のワイヤーの上記供給手段と第２層(C2)のN本のワイヤーの上記集成手段との間に配置される中心層(C1)のM本のワイヤーを集成する集成手段も含む。二重シーズ(コアおよびコアストランド)の場合は、押出手段は、そのために、第１の集成手段の上流および下流の双方に置く。
【００９４】
図３は、1本のコアワイヤーを有するコンパクトタイプのコード(p2 = p3、層C2およびC3の撚り合せ方向同じ)の製造において使用することのできる、固定供給口および回転受器を有するタイプの撚り合せ集成装置(３０)の例を示している。この装置(３０)においては、供給手段(３１０)が、１本のコアワイヤー（C1）の周りに、集成ガイド(３３)にカップリングさせてもまたはさせなくてもよい分配グリッド(３２) (軸対称分配器)を通してN本のワイヤー(３１)を給送し、このグリッドの後、第２層のN本(例えば、6本)のワイヤーが集成点(３４)において集束して1+N本(例えば、1+6本)構造のコアストランド(C1+C2)を形成する。
【００９５】
その後、コアストランド(C1+C2))は、形成された時点で、例えばツインスクリュー押出機からなる単一の押出ヘッド(３５) (顆粒形のTPEを収容するホッパーから供給される)からなり、サイジングダイをポンプにより供給するシーズ領域に通る。集束点(３４)とシーズ点(３５)間の距離は、50cmと1mの間の距離である。例えば12本存在し、供給手段(３７０)によって給送される外側層(C3)のP本のワイヤー(３７)を、矢印の方向に進行するそのようにしてゴム引きしたコアストランド(３６)の周りに、撚り合せすることによって集成する。そのようにして形成した最終(M+N+P本)コードを、最後に、例えば修正機および/または撚糸機・修正機からなる撚り均衡化手段(３８)に通した後、回転受器(３９)上で収集する。
【００９６】
ここで、当業者にとっては周知であるように、円筒状層を有するタイプのコード(異なるピッチp2およびp3、および/または層C2およびC3の異なる撚り合せ方向)を製造するためには、例として上記で説明した１つのみ(図３)よりはむしろ２つの回転(供給または受器)部材を含む装置を使用することを思い起されたい。
【００９７】
II‐3. タイヤカーカス補強材における上記コードの使用
本明細書の導入部において説明しているように、本発明のコードは、特に、産業用車両用のタイヤに対してのカーカス補強材を意図する。
【００９８】
例えば、図４は、金属カーカス補強材(この一般的表現においては本発明に従うカーカス補強材であり得るまたはあり得ない)を含むタイヤの半径断面を極めて略図的に示している。このタイヤ１は、クラウン補強材即ちベルト６によって補強されたクラウン２、２つの側壁３および２つのビード４を有し、これらのビード４の各々は、ビードワイヤー５によって補強されている。クラウン２は、この略図には示していないトレッドが取付けられている。カーカス補強材７は、各ビード４内の２本のビードワイヤー５の周りに巻付けられており、この補強材７の上返し部分８は、例えば、タイヤ１の外側に向って位置しており、この場合、タイヤリム９上に取付けて示している。カーカス補強材７は、それ自体知られている通り、“ラジアル”コードとして知られる金属コードによって補強された少なくとも１枚のプライから構成されており、このことは、これらのコードが、実際上、互いに平行に及んでおり、一方のビードから他方のビードに延びて円周正中面(２つのビード４の中間に位置しクラウン補強材６の中央を通るタイヤの回転軸に対して垂直の面)と80°と90°の間の角度をなしている。
【００９９】
本発明に従うタイヤは、そのカーカス補強材７が、少なくとも１枚のカーカスプライを補強する要素として、本発明に従う金属コードを少なくとも含むことに特徴を有する。勿論、このタイヤ１は、知られている通り、タイヤの半径方向内面を構成し且つ上記カーカスプライをタイヤ内部の空間からの空気の拡散から保護することを意図するゴムまたはエラストマーの内部層(一般に“内部ライナー”として知られている)をさらに含む。
【０１００】
このカーカス補強プライにおいては、本発明に従うコードの密度は、好ましくはカーカスプライのdm (デシメートル)当り30本と160本の間のコード本数、より好ましくはカーカスプライのdm当り50本と100本の間のコード本数からなり、2本の隣接コード間の軸対軸の距離は、好ましくは0.6mmと3.5mmの間の距離からなり、より好ましくは1.25mmと2.2mmの間の距離からなる。
【０１０１】
本発明のコードは、好ましくは、2本の隣接コード間のゴムブリッジの幅(Lcで示す)が0.25mmと1.5mmの間の幅からなるような形で配置する。この幅Lcは、知られている通り、カレンダー加工ピッチ(コードをゴム素材中に並べるピッチ)とコードの直径との差を示す。上記最低値よりも低いと、狭すぎるゴムブリッジは、プライが作動するとき、特に、伸びおよび剪断下にコード自体の面において直面する変形中に機械的分解を被るリスクを有する。上記の最高値よりも高いと、タイヤは、パンクの結果として、タイヤ側壁上で生じる外観欠陥またはコード間を貫通する事物のリスクに曝される。さらに好ましくは、これらの同じ理由により、幅Lcは、0.35mmと1.25mmの幅からなるように選定する。
【０１０２】
好ましくは、上記カーカス補強プライの素材において使用するゴム組成物は、加硫状態(即ち、硬化後)において2MPaと25MPaの間、より好ましくは3MPaと20MPaの間からなり、特に3〜15MPaの範囲内にある割線伸びモジュラスE10を有する。
【０１０３】
III. 本発明の実施態様
以下の試験により、通常の(ホットメルトではない)ジエンゴムを使用しての従来技術の現場ゴム引き３層状コードと比較することによって、より少量で調整された量の充填ゴムを含有し、コードにより良好な緻密性を保証するという顕著な利点を有し、また、このゴムが、好ましくは、コード内に、特に、その毛管の各々内に均一に分配され、それによってコードに縦方向不透過性をも付与するという３層状コードを提供する本発明の能力を実証する；さらにまた、この充填ゴムは、生(即ち、未硬化)状態において望ましくない厚さを有さないという本質的な利点も有する。
【０１０４】
III‐1. コードの製造
以下の試験において、細い黄銅コーティング炭素鋼ワイヤーから構成される1+6+12本構造の層状コードを製造する。
上記炭素鋼ワイヤーは、知られている通り、例えば、マシンワイヤー(直径5〜6mm)から製造する；これらのワイヤーを、先ずは最初に、圧延または延伸により加工硬化して、およそ1mmの中間直径まで下げる。使用する鋼は、0.70％の炭素含有量を有する既知の炭素鋼(USA規格AISI 1069)である。中間直径の上記ワイヤーを、そのその後の変換の前に、脱脂およびピクリング処理に供する。黄銅コーティングをこれらの中間ワイヤーに施した後、“最終”加工硬化操作と称する操作を、各ワイヤーにおいて(即ち、最終パテンティング加熱処理後に)、例えば水性エマルジョンまたは分散液の形の延伸用潤滑剤を含む湿式媒体中での冷間延伸によって実施する。ワイヤーの周りの黄銅コーティングは、1ミクロンよりも著しく低い、例えば、0.15〜0.30μm程度の極めて小さい厚さを有し、この厚さは、鋼ワイヤーの直径と比較すれば無視し得る。
【０１０５】
そのようにして延伸した上記鋼ワイヤーは、以下の直径と機械的性質を有する：
表１
2013530317.tif 000003
【０１０６】
その後、これらのワイヤーを1+6+12本層状コードの形に集成る；この構造は、図１に示しているとおりであり、その機械的性質を下記の表２に示す。
表２
2013530317.tif 000004
【０１０７】
従って、図１に略図的に示しているような本発明の1+6+12本コードは、合計で19本のワイヤー、即ち、直径0.20mmのコアワイヤーおよび周りの全て直径0.18mmを有する18本のワイヤーから形成され、これらのワイヤーを、同じピッチ(P2 = P3 = 10.0mm)および同じ撚り合せ方向(S/S)でもって２つの同心層内に巻付けられてコンパクトタイプのコードを得ている。パラグラフI‐3において先に示している方法を使用して測定した充填ゴム含有量は、コードg当たり約18mgである。この充填ゴムは、3本でとみなす各ワイヤーによって形成された24の毛管または間隙の各々中に存在している、即ち、充填ゴムは、これらの毛管の各々を、コードの任意の2cm長に亘って、各毛管または間隙中に少なくとも1個のゴムのプラグが存在するように、完全にまたは少なくとも部分的に充たしている。
【０１０８】
これらのコードを製造するに当っては、上記で説明し、図３に略図的に示している装置を使用して、コアストランド(1+6本)をシーズし、その後、撚り合せによって、シーズしたコアストランド上に外側層の12本のワイヤーを集成した。コアストランドは、そのようにして、およそ15μm厚のTPSエラストマーの層で被覆した。不飽和TPSエラストマーからなる充填ゴムは、およそ180℃の温度で、直径0.570mmのサイジングダイをポンプで供給するツインスクリュー押出機(長さ960mm、L/D = 40)を使用して押出した；コアストランド(1+6本)は、シーズされながら、押出方向に対し直角に且つ直線的に移動した。
【０１０９】
３種の不飽和TPSエラストマー(商業的に入手可能な製品)を、これらの試験において試験した：それぞれ、およそ70、25および90のショアA硬度を有するSBS (スチレン/ブタジエン/スチレン)ブロックコポリマー、SIS (スチレン/イソプレン/スチレン)ブロックコポリマー、およびS(SB)Sブロックコポリマー(中心ポリジエンブロック(SBで示す)がランダムスチレン/ブタジエンジエンコポリマーであるスチレン/ブタジエン/スチレンブロック)。
【０１１０】
III‐2. 空気透過性試験
その後、そのようにして製造した本発明のコードC‐1を、パラグラフI‐2において説明している空気透過性試験に供し、コードを1分内に通過する空気の容量(cm3での)を測定した(試験したコード毎に10回測定の平均)。
試験した各コードC‐１および100％の測定(即ち、10本のうちの10本の試験標本)において、試験したどのTPSエラストマーであっても、ゼロまたは0.2cm3/分未満の流量を測定した；換言すれば、本発明のコードは、その縦軸に沿って気密性と称し得る。
【０１１１】
さらにまた、現場ゴム引きし且つ本発明のコンパクトコードC‐1と同じ構造を有するが通常のジエンゴム組成物(天然ゴム)によって現場ゴム引きした対照コードも、上記出願WO 2005/071557号に記載されている方法に従い、不連続の数工程で製造し、中間1+6本コアストランドを、押出ヘッドを使用してシーズし、残りの12本のワイヤーをそのようにしてシーズしたコアストランドの周りにケーブル外装して外側層を形成した。その後、これらの対照コードを、パラグラフI‐2の空気透過性試験に供した。
【０１１２】
先ずは最初に、これらの対照コードのうちでは、100％(即ち、10本のうちの10本の試験標本)がゼロまたは0.2cm3/分未満の流量を測定したものはなかったこと、換言すれば、これらの対照コードのうちで、その軸に沿って気密性(完全に気密性)と称し得るものはなかったことに注目した。また、これらの対照コードのうち、最良の不透過性結果(即ち、2cm3/分辺りの平均流量)を示したコードは、全て、その周辺からの比較的大量の望ましくない充填ゴムあふれ出しを有しており、これらのコードを、上記充填ゴムの望ましくない粘着性故に、工業的条件下での満足し得るカレンダー加工操作にとって不適切なものにしていることも判明した。
【０１１３】
従って、結論として、本発明に従うコードは、上記不飽和熱可塑性エラストマーによる適度の浸透を調整された充填ゴム量でもって示して、内部分配(コード軸に沿って連続または不連続である)を担保しており、或いは上記毛管または間隙内のゴムのプラグは十分な量で存在する；従って、本発明のコードは、水分または空気中の酸素のような何らかの腐蝕性流体のコードに沿った拡散に対して不浸透性となり、それ故に、本明細書の導入部において説明したウィッキング作用を排除する。
【０１１４】
さらに、使用する上記熱可塑性エラストマーは、製造した後のコード外側上での僅かなあふれ出しの場合の望ましくない粘着性の問題をもたらさない；何らかのあふれ出しがあった場合でも、上記熱可塑性エラストマーの不飽和性、ひいては(共)加硫性が、上記熱可塑性エラストマーを天然ゴムのような不飽和ジエンエラストマーの周囲マトリックスと適合性のあるものにしている。
【０１１５】
勿論、本発明は、上記で説明した実施態様に限定されない。
従って、例えば、本発明のコードのコア(C1)は、円形でない断面を有するワイヤー、例えば、塑性的に変形しているワイヤー、特に、実質的に長円形の或いは多角形、例えば、三角形、正方形または長方形の断面を有するワイヤーから構成され得る；また、上記コードは、円形断面を有する前以って成形されたワイヤー、或いは、例えば、波形の、らせんまたはジグザク形状に撚り合せたまたはねじ曲げられたワイヤーからも構成され得る。そのような場合は、勿論、コア(C1)の直径dcは、中心ワイヤー自体の直径(またはその断面が円形でない場合の任意の横方向寸法)よりはむしろ中心ワイヤーを取巻いている仮想回転円筒体の直径(エンベロープ直径)を示すものと認識しなければならない。
【０１１６】
しかしながら、工業的実施可能性、コストおよび全体的性能を理由として、本発明は、通常の、直線状で、円形断面を有する1本の中心コアワイヤー(層C1)でもって実施することが好ましい。
さらに、中心ワイヤーは、そのコード内の位置を考慮すると、コードの製造中に、他のワイヤーよりも応力をあまり受けないので、このワイヤーは、例えば高ねじり延性を有する鋼組成物を使用して製造する必要はない：有利には、任意のタイプの鋼、例えば、ステンレススチールを使用し得る。
【０１１７】
さらにまた、他の２つの層(C2および/またはC3)のうちの１つの1本(少なくとも1本)の直線状ワイヤーは、同様に、前以って成形したまたは変形させたワイヤーによって、さらに一般的には、直径d2および/またはd3を有する他のワイヤーの断面とは異なる断面を有するワイヤーによって置換えて、例えば、上記ゴムまたは他の任意の材料によるコードの浸透性をさらに改良することもできる；この代替ワイヤーの上記エンベロープ直径は、関連層(C2および/またはC3)を構成する上記他のワイヤーの直径(d2および/またはd3)よりも小さく、この直径と等しくまたはこの直径よりも大きくあり得る。
【０１１８】
本発明の精神を変えることなしに、本発明に従うコードを構成するワイヤーの１部は、鋼ワイヤー以外の金属または他のワイヤーによって置き換えることができ、さらに、特に、高機械強度を有する無機または有機材料製のワイヤーまたはスレッド、例えば、液晶有機ポリマー製のモノフィラメントであり得る。
【０１１９】
また、本発明は、その構造が、基本ストランドとして、本発明に従う層状コードを少なくとも組込んでいる任意のマルチストランド鋼索にも関する。
【０１２０】
例えば土木機械タイプの産業用車両用のタイヤにおいて、特に、そのカーカスまたはクラウン補強材において使用することのできる本発明に従うマルチストランドロープの例としては、それ自体既知の下記の一般的構造を有するマルチストランドロープを挙げることができる(Mは、1、2、3または4に等しく；Nは、5〜15の範囲にあり；Pは、10〜22の範囲にある)：
・合計で6本の基本ストランド、即ち、中心の1本のストランドおよびこの中心の周りにケーブル外装した5本の他のストランドから形成された(1+5本) (M+N+P本)；
・合計で7本の基本ストランド、即ち、中心の1本のストランドおよびこの中心の周りにケーブル外装した6本の他のストランドから形成された(1+6本) (M+N+P本)；
・合計で9本の基本ストランド、即ち、中心の2本のストランドおよびこの中心の周りにケーブル外装した7本の他のストランドから形成された(2+7本) (M+N+P本)；
・合計で10本の基本ストランド、即ち、中心の2本のストランドおよびこの中心の周りにケーブル外装した8本の他のストランドから形成された(2+8本) (M+N+P本)；
・合計で11本の基本ストランド、即ち、中心の3本のストランドおよびこの中心の周りにケーブル外装した8本の他のストランドから形成された(3+8本) (M+N+P本)；
・合計で12本の基本ストランド、即ち、中心の3本のストランドおよびこの中心の周りにケーブル外装した9本の他のストランドから形成された(3+9本) (M+N+P本)；
・合計で13本の基本ストランド、即ち、中心の3本のストランドおよびこの中心の周りにケーブル外装した9本の他のストランドから形成された(4+9本) (M+N+P本)；
・合計で14本の基本ストランド、即ち、中心の4本のストランドおよびこの中心の周りにケーブル外装した10本の他のストランドから形成された(4+10本) (M+N+P本)；
但し、上記において、コンパクトタイプまたは円筒状層を有するタイプのM+N+P本、特に、1+6+11本、1+6+12本、3+8+14本、3+9+15本、4+10+16本の３層状コードから構成された各基本ストランド(または最低限それら基本ストランドの１部)は、本発明に従うコードである。
【０１２１】
例えば、下記のタイプのそのような２層状マルチストランド鋼索は、それら自体を、その製造中に、現場ゴム引きし得る、即ち、これらマルチストランドロープのコアまたは中心コアストランドは、それ自体を、熱可塑性エラストマーTPE、特に飽和または不飽和のTPSエラストマーのようなゴムによって、或いは従来技術の現場ゴム引きにおいて使用するジエンエラストマーのような通常のジエンエラストマー(例えば、天然ゴム)によってさえもシーズし得る：
・(1+6本)(1+6+11本)、(2+7本)(1+6+11本)、(2+8本)(1+6+11本)、(3+8本)(1+6+11本)、(3+9本)(1+6+11本)、(4+9本)(1+6+11本)、または(4+10本)(1+6+11本)；
・(1+6本)(1+6+12本)、(2+7本)(1+6+12本)、(2+8本)(1+6+12本)、(3+8本)(1+6+12本)、(3+9本)(1+6+12本)、(4+9本)(1+6+12本)または(4+10本)(1+6+12本)；
・(1+6本)(3+8+14本)、(2+7本)(3+8+14本)、(2+8本)(3+8+14本)、(3+8本)(3+8+14本)、(3+9本)(3+8+14本)、(4+9本)(3+8+14本)または(4+10本)(3+8+14本)；
・(1+6本)(3+9+15本)、(2+7本)(3+9+15本)、(2+8本)(3+9+15本)、(3+8本)(3+9+15本)、(3+9本)(3+9+15本)、(4+9本)(3+9+15本)または(4+10本)(3+9+15本)；
・(1+6本)(4+10+16本)、(2+7本)(4+10+16本)、(2+8本)(4+10+16本)、(3+8本)(4+10+16本)、(3+9本)(4+10+16本)、(4+9本)(4+10+16本)または(4+10本)(4+10+16本)。
【符号の説明】
【０１２２】
C‐1    本発明に従うコンパクトタイプのコード
C1    第１層またはコア
C2    第２層
C3    第３層
１０    コアワイヤー
１１    第２層のワイヤー
１２    第３層のワイヤー
１３    充填ゴム
１４    毛管または間隙
E    輪郭
dc、d1、d2、d3    直径
p1、p2、p3    ピッチ
C‐2    通常のコンパクトタイプのコード
２０、２１、２２    ワイヤー
２４    チャンネルまたは毛管
１    タイヤ
２    クラウン
３    側壁
４    ビード
５    ビードワイヤー
６    クラウン補強材(ベルト)
７    カーカス補強材
８    カーカス補強材の上返し
９    タイヤリム
３０    撚り合せ集成装置
３１    N本のワイヤー
３２    分配グリッド(軸対称分配器))
３３    集成ガイド
３４    集成点
３５    押出ヘッド
３６    コアストランド
３７    P本のワイヤー
３８    撚り均衡化手段
３９    回転受器
３１０、３７０    供給手段
【図１】
2013530317.tif 000005
【図２】
2013530317.tif 000006
【図３】
2013530317.tif 000007
【図４】
2013530317.tif 000008
【国際調査報告】
2013530317.tif 000009
2013530317.tif 000010
2013530317.tif 000011
2013530317.tif 000012
2013530317.tif 000013
2013530317.tif 000014